(57)【要約】【課題】  建物外部の床や水がかかる場所の床において、互いに隣り合うように床面上に敷設される防水パン同士を、突き合わせて形成される防水パンの突合せ部の防水性を向上させる防水構造を提供する。【解決手段】  防水パンの突合せ部の防水構造１は、互いに隣り合う前記防水パン２の突き合わされた面にそれぞれ設けられて当接する第一水密材２ａと、隣接する前記防水パン２の上面の端縁に跨って２つの前記防水パン２を連結固定し、且つ、互いに当接する２つの前記第一水密材２ａと圧着する第二水密材４ａを有する固定カバー４と、を備える。【選択図】図１
2018087462.tif 000002
【特許請求の範囲】
【請求項１】
床面上に並べて敷設される防水パンの突合せ部の防水構造であって、
互いに隣り合う前記防水パンの突き合わされた面にそれぞれ設けられて当接する第一水密材と、
隣接する前記防水パンの上面の端縁に跨って２つの前記防水パンを連結固定し、且つ、互いに当接する２つの前記第一水密材と圧着する第二水密材を有する固定カバーと、を備えることを特徴とする防水パンの突合せ部の防水構造。
【請求項２】
前記固定カバーは、平板状で幅方向の中央部に前記第二水密材を設けた平板部と、前記平板部の両側端から第二水密材を設けた方向へ突出して前記防水パンの上面と前記平板部との間に前記第二水密材を入れる間隙を形成する当接部と、前記固定カバーを前記防水パンに固定する固定具を挿通するために前記第二水密材を挟む位置に形成される挿通孔と、を有することを特徴とする請求項１に記載の防水パンの突合せ部の防水構造。
【請求項３】
前記防水パンは、前記固定カバーを前記防水パンに固定する前記固定具を螺合させるための上方に開口した袋状の雌ねじ穴を有することを特徴とする請求項２に記載の防水パンの突合せ部の防水構造。
【請求項４】
前記第二水密材は、前記平板部に設けられた２つの保持部に幅方向の両側を挟まれて設けられていることを特徴とする請求項２又は３に記載の防水パンの突合せ部の防水構造。
【請求項５】
前記第一水密材は、前記防水パンの上面よりも上方に突出することを特徴とする請求項１から４のいずれかに記載の防水パンの突合せ部の防水構造。
【請求項６】
請求項１から５のいずれかに記載の前記防水パンの突合せ部の防水構造を有することを特徴とするバルコニーの防水床構造。
【発明の詳細な説明】
【技術分野】
【０００１】
本発明は、建物外部の床や水がかかる場所の床において、床面上に並べて敷設される防水パンの突合せ部の防水性を向上させる防水構造に関する。
【背景技術】
【０００２】
従来より、バルコニーやベランダのような建物外部の床や、水がかかる場所の床には、水を受ける複数の防水パンを敷設することによって、建築構造部に水が浸入することを防止している。これらの防水パンは、互いに隣り合う防水パン同士を突合せ、連結することによって使用されるが、防水パンの突合せ部においては、防水パンの端縁同士に形成された隙間から、水が建物構造部に浸入する恐れがあるため、特に防水対策が講じられている。
【０００３】
例えば、特許文献１では、バルコニーの支持部材上に配置される複数のパネルパン同士を、連結カバーで連結する防水パンが提案されている。この防水パンでは、紐状シールをパネルパンの連結部付近に設けられたシール材保持溝に押し込み、隣り合うパネルパン同士の紐状シールを跨ぐように連結カバーで覆い、連結カバーとシール材保持溝の溝壁面とで紐状シールを挟圧することにより、防水性を保持している。
【０００４】
また、特許文献２では、床パンの端縁同士に形成された隙間をパッキンとコーキング材によって埋め、連結板とカバー材が、床パンの突合せ部の上面を跨って覆い、床パンの端縁同士に形成された隙間から水が漏出することを抑制する発明が提案されている。この発明では、連結板をねじによって床パンに固定しており、ねじを埋設するねじ穴は、予めコーキング処理を施すことによって防水性を高められている。連結板の上面には、防水テープを介してカバー材が設けられ、この防水テープによって連結板とカバー材との間に侵入した水がねじ穴に到る事を抑制している。そして、連結板及びカバー材の側面と、床パンが接する位置には、コーキング材が打設されている。
【先行技術文献】
【特許文献】
【０００５】
【特許文献１】特開２０００−７３４４１号公報
【特許文献２】特開２０１３−２０９８４０号公報
【発明の概要】
【発明が解決しようとする課題】
【０００６】
しかしながら、特許文献１の発明では、連結カバーとシール材保持溝の溝壁面が紐状シールを挟圧することによって防水性を保持しているため、気候や周辺環境の影響を受けて紐状シールが収縮、脆性化した場合、連結カバーとシール材保持溝による挟圧力が弱まり、連結カバーと紐状シールとの隙間から水が浸入する恐れがある。また、連結カバーを固定する連結具を挿通する孔に防水対策が講じられていないため、孔を通じて水が防水パンの裏側に浸入する可能性が高い。
【０００７】
一方、特許文献２に記載の発明では、各隙間に対しそれぞれ段階を分けてコーキングを打設しているので、より防水性を高めることができる。しかしながら、施工後、防水パンの端縁同士の隙間や、コーキング処理されたねじ穴の状態を目視確認することは難しく、コーキングの劣化を見逃して漏水を防止できない可能性がある。
【０００８】
そこで、本発明は、建物外部の床や水がかかる場所の床において、床面上に並べて敷設される防水パンの突合せ部の防水性を向上させる防水構造を提供することを目的とする。
【課題を解決するための手段】
【０００９】
本発明の防水パンの突合せ部の防水構造は、床面上に並べて敷設される防水パンの突合せ部の防水構造であって、互いに隣り合う前記防水パンの突き合わされた面にそれぞれ設けられて当接する第一水密材と、隣接する前記防水パンの上面の端縁に跨って２つの前記防水パンを連結固定し、且つ、互いに当接する２つの前記第一水密材と圧着する第二水密材を有する固定カバーと、を備えることを特徴としている。
【００１０】
本発明の防水パンの突合せ部の防水構造は、前記固定カバーは、平板状で幅方向の中央部に前記第二水密材を設けた平板部と、前記平板部の両側端から第二水密材を設けた方向へ突出して前記防水パンの上面と前記平板部との間に前記第二水密材を入れる間隙を形成する当接部と、前記固定カバーを前記防水パンに固定する固定具を挿通するために前記第二水密材を挟む位置に形成される挿通孔と、を有することを特徴としている。
【００１１】
本発明の防水パンの突合せ部の防水構造は、前記防水パンは、前記固定カバーを前記防水パンに固定する固定具を螺合させるための上方に開口した袋状の雌ねじ穴を有することを特徴としている。
【００１２】
本発明の防水パンの突合せ部の防水構造は、前記第二水密材は、前記平板部に設けられた２つの保持部に幅方向の両側を挟まれて設けられていることを特徴としている。
【００１３】
本発明の防水パンの突合せ部の防水構造は、前記第一水密材は、前記防水パンの上面よりも上方に突出することを特徴としている。
【００１４】
本発明のバルコニーの防水床構造は、請求項１から５のいずれかに記載の前記防水パンの突合せ部の防水構造を有することを特徴としている。
【発明の効果】
【００１５】
本発明の防水パンの突合せ部の防水構造によると、固定カバーに設けられた第二水密材が、互いに当接した二つの第一水密材をと圧着するので、第一水密材のみで防水構造を構築するよりも、突合せ部の防水性をより向上させることができる。また、第一水密材は、第二水密材に覆われることで、直接外気に接触する面が減少するので劣化を遅らせることができ、万が一第二水密材が劣化しても、第一水密材によって防水性が保持されているため、水が防水パン同士の突合せ部から浸入することを防止できる。
【００１６】
本発明の防水パンの突合せ部の防水構造によると、固定カバーに設けられる挿通孔は、平板部の幅方向の中央部に設ける第二水密材を挟む位置に設けられる。したがって、第二水密材は、固定具に傷つけられることなく第一水密材の上面を覆うことができ、安定した防水性を保持することができる。
【００１７】
本発明の防水パンの突合せ部の防水構造によると、固定具を固定する雌ねじ穴が、防水パンを貫通せず袋状となっているため、雌ねじ穴から、水が防水パンの下部に浸入することを防ぐことができ、防水性を向上させることができる。
【００１８】
本発明の防水パンの突合せ部の防水構造によると、保持部は、第二水密材の幅方向の両側を挟んでいるので、第二水密材の水平方向のずれを防ぐことができる。したがって、第二水密材は、確実に第一水密材と圧着できるとともに固定具に傷つけられることなく安定した防水構造を構築することができる。また、第二水密材の配置する位置が明確となるため、第二水密材を取替える際に、新たな第二水密材を所望する位置へ容易に配置することができる。
【００１９】
本発明の防水パンの突合せ部の防水構造によると、第一水密材が、防水パンの上面よりも上方に突出するので、第一水密材と第二水密材が強固に密着し、より信頼性の高い防水構造を構築することができる。
【００２０】
本発明のバルコニーの防水構造によると、請求項１から請求項５のいずれかに記載の防水パンの突合せ部の防水構造を有しているので、水が、バルコニー床に敷設される防水パンの突合せ部からバルコニー床に侵入することを防止することができる。
【図面の簡単な説明】
【００２１】
【図１】防水パンの突合せ部の防水構造を示す断面図。
【図２】防水パンの突合せ部の防水構造を示す平面図。
【図３】防水パンの突合せ部の防水構造を示すＡ−Ａ断面図。
【図４】防水パンの設置状況を示す断面図。
【図５】図４と直交する方向の防水パンの断面図。
【図６】防水パンを上方から示す斜視図。
【図７】防水パンを下方から示す斜視図。
【図８】固定カバーの形状を示す斜視図。
【図９】防水パンの床への設置状況を示す断面図。
【図１０】第一水密材と第二水密材の当接状況を示す断面図。
【発明を実施するための形態】
【００２２】
以下、防水パンの突合せ部の防水構造１の最良の実施形態について各図を参照しつつ説明する。本実施形態の防水パンの突合せ部の防水構造１は、建物外部の床や水がかかる場所の床において、床面Ｆ１の上に並べて敷設される防水パン２の突合せ部３の防水性を向上させる防水構造である。
【００２３】
防水パンの突合せ部の防水構造１は、図１〜図３に示すように、互いに隣り合う防水パン２の突き合わされた面にそれぞれ設けられて当接する第一水密材２ａと、隣接する防水パン２の上面の端縁に跨って２つの防水パン２を連結固定し、且つ、互いに当接する２つの第一水密材２ａの上方に設けられ、２つの保持部に両側を挟まれた第二水密材４ａを有する固定カバー４と、を備えている。なお、本願において「袋状」とは、底部を有する筒状のことを指す。
【００２４】
防水パン２は、バルコニーやベランダのような建物外部の床や、水がかかる場所の床面上に互いに隣り合うように設置される。図４及び図５に示すように、防水パン２は、突き合わされる面に設けられる第一水密材２ａと、第一水密材２ａを支持する支持部２ｂと、床面Ｆ１の上に当接する脚部２ｃと、脚部２ｃに支持される床板部２ｄと、上方に開口した袋状の雌ねじ穴２ｅを備えている。また、隣り合う防水パン２同士は、突合せ部３を形成している。また、図示していないが、床板部２ｄの上部には、タイルやシート材で形成された床仕上材を敷設することができる。
【００２５】
第一水密材２ａは、水が突合せ部３から防水パン２の下部に浸入することを防止する水密材である。第一水密材２ａは、防水パン２同士が突き合わされる面に連続して設けられ、図６及び図７に示されているように、床板部２ｄの上面よりも上方に突出しており、断面Ｌ型状の支持部２ｂに支持されている。支持部２ｂが第一水密材２ａを支持することにより、第一水密材２ａの位置が拘束されるため、突合せ部３において安定した防水性を保つことができる。
【００２６】
第一水密材２ａの材質や支持部２ｂへの固定方法は、特に限定されないが、材質は、水密性、耐久性に優れた硬質樹脂を想定しており、支持部２ｂへの固定は、粘着性のある接着剤や両面テープによって行うことができる。また、劣化した場合には、第一水密材２ａを支持部２ｂから剥がして新たな第一水密材２ａを張りなおすだけでよい。
【００２７】
第一水密材２ａの厚さは、特に限定されないが、厚さ３ｍｍ以上を想定している。このような厚さであれば、突合せ部３からの水の浸入を十分防止することができる。また、第一水密材２ａの床板部２ｄの上面よりも上方に突出する高さについても、特に限定されることはないが、２ｍｍ程度が好適である。このような高さであれば、突合せ部３を固定カバー４で覆っても、その上から床仕上材６を敷設することができる。
【００２８】
雌ねじ穴２ｅは、突合せ部３に跨って配置される固定カバー４を固定する固定具５と螺合する穴であり、図９に示すように床板部２ｄ上面の固定カバー４に覆われる範囲に設けられ、穴の内周面には雌ねじが形成される。また、雌ねじ穴２ｅは、図５に示すように、床板部２ｄを貫通しない袋状となっており、水が雌ねじ穴２ｅから防水パン２の下部に侵入することを防止できる。したがって、ねじ穴に特別な防水処理を施さずに防水性を保持することができる。
【００２９】
固定カバー４は、突合せ部３を上方から覆うことができる長尺な部材である。図１及び図８に示されるように、固定カバー４は、第二水密材４ａと、第二水密材４ａを保持する保持部４ｂと、平板状で幅方向の中央部に第二水密材４ａを設けた平板部４ｃと、平板部４ｃの幅方向の両側端から第二水密材４ａを設けた方向へ突出して、防水パンの上面と平板部との間に第二水密材４ａを入れる間隙を形成する当接部４ｄと、固定カバー４を防水パン２に固定する固定具５を挿通するための挿通孔４ｅを有している。
【００３０】
第二水密材４ａは、第一水密材２ａと密着して、水が突合せ部３に浸入することを防止する水密材である。図８に示すように、第二水密材４ａは、平板部４ｃの幅方向の中央部に連続して設けられる。また、第二水密材４ａを保持する保持部４ｂは、第二水密材４ａの幅方向の両側端に設けられている。この保持部４ｂは、第二水密材４ａの位置を保持して第二水密材４ａの水平方向のずれを防止することができる。また、保持部４ｂを設けることで、第二水密材４ａを配置する位置が明確となり、劣化した第二水密材４ａを取替える際に、新たな第二水密材４ａを所望する位置へ容易に配置することができる。
【００３１】
第二水密材４ａの材質や固定方法は、特に限定されないが、材質は、水密性、耐久性に優れた硬質樹脂を想定しており、平板部４ｃへの固定は、粘着性のある接着剤や両面テープによって行うことができる。また、劣化した場合には、第二水密材４ａを平板部４ｃから剥がし、保持部４ｂの位置に合わせて新たな第二水密材４ａを張りなおすだけでよい。
【００３２】
第二水密材４ａの厚さは、第一水密材２ａの床板部２ｄの上面よりも上方に突出する高さよりも大きくなるように形成されている。その厚さは特に限定されないが、２ｍｍ以上が好適である。このような厚さであれば、第二水密材４ａが第一水密材２ａの上面を覆った際、第一水密材２ａが第二水密材４ａに圧着しても、水が第二水密材４ａと第一水密材２ａとの間に侵入することを十分に防止することができる。
【００３３】
平板部４ｃは、突合せ部３を跨いで覆う部分で、図８及び図９に示すように、平板状を形成している。また、平板部４ｃに形成される挿通孔４ｅは、固定カバー４を防水パン２に固定する固定具５を挿通するための孔で、第二水密材４ａを幅方向に挟む位置に、長手方向に対して一定の間隔で形成されている。挿通孔４ｅは、固定カバー４を防水パン２に配置した場合に、先述した防水パン２の雌ねじ穴２ｅと合致する位置に形成されている。
【００３４】
当接部４ｄは、固定カバー４が床板部２に固定される際、平板部４ｃの幅方向の両端縁が露出することにより、施工者が躓いて転倒したり平板部４ｃの角部で手指を怪我したりする事故を防止するとともに、美観を損なうことを防止することができる。当接部４ｃの高さは、第一水密材２ａが第二水密材４ａに圧着した状態で、床面部２ｄに当接できる高さとなっている。高さは特に限定されないが、５ｍｍ以上を想定している。このような高さであれば、固定カバー４を防水パン２に固定した際にガタツキを防止できる。
【００３５】
なお、固定カバー４を防水パン２に固定する固定具５は、ビスやネジを想定しているが、同様の性能を有してれば、特にこれに限定されることはない。
【００３６】
次に、上述した防水パン２及び固定カバー４を使用する防水パンの突合せ部の防水構造１の施工手順について説明する。まず、図２に示すように、防水パン２を互いに隣り合うように隙間無く床面上に敷設する。このとき、第一水密材２ａ同士を隙間無く当接させ、突合せ部３を形成するようにする。次に、図８に示すように、互いに当接している第一水密材２ａの上面を、第二水密材４ａが跨ぐように固定カバー４で覆い、続いて、挿通孔４ｅと雌ねじ穴２ｅの位置を合致させた状態で固定具５を挿通孔４ｅに挿入し、固定具５を雌ねじ穴２ｅに螺着さて固定カバー４を防水パン２に固定する。
【００３７】
固定カバー４を防水パン２に固定することによって、図１０に示すように、床面部の上面よりも上方に突出している第一水密材２ａは、必然的に上部に当接する第二水密材４ａに圧着することになる。したがって、第一水密材２ａと第二水密材４ａは強固に密着することができ、より信頼性の高い防水構造を構築することができる。
【００３８】
このように第一水密材２ａの上面を第二水密材４ａで覆うことにより、第一水密材２ａのみで防水構造を構築するよりも、突合せ部３の防水性をより向上させることができる。また、第一水密材２ａは、第二水密材４ａに覆われることで、直接外気に接触する面が減少するので劣化を遅らせることができるとともに、万が一第二水密材２ａが劣化して防水性能を喪失したとしても、当接し合う第一水密材２ａによって防水性能が保持されているため、水が防水パン２の下部に浸入することはない。つまり、当接し合う第一水密材２ａで一次防水を行い、第一水密材２ａの上面に配置される第二水密材４ａで二次防水を行うことができるので、より信頼の高い防水構造を構築することができるのである。
【００３９】
また、固定具を外せば、第一水密材２ａと第二水密材４ａの状態を目視確認することができるので、施工後の点検を容易に行うことができるとともに、各水密材の劣化にいち早く気づくことができる。
【００４０】
先述したように、雌ねじ穴２ｅは、床板部２ｄを貫通していないため、固定具５を防水パン２に固定しても、雌ねじ穴２ｅを通じて水が防水パン２の下側に浸入することはない。
【００４１】
なお、本発明の実施の形態は上述の形態に限ることなく、本発明の思想の範囲を逸脱しない範囲で適宜変更することができることは云うまでもない。
【産業上の利用可能性】
【００４２】
本発明に係る防水パンの突合せ部の防水構造は、バルコニーやべランダなどの建物外部床に好適に用いることが出来る。
【符号の説明】
【００４３】
１      防水パンの突合せ部の防水構造
２      防水パン
２ａ    第一水密材
２ｃ    脚部
２ｄ    床板部
２ｅ    雌ねじ穴
３      突合せ部
４      固定カバー
４ａ    第二水密材
４ｂ    保持部
４ｃ    平板部
４ｄ    当接部
４ｅ    挿通孔
５      固定具
【図１】
2018087462.tif 000003
【図２】
2018087462.tif 000004
【図３】
2018087462.tif 000005
【図４】
2018087462.tif 000006
【図５】
2018087462.tif 000007
【図６】
2018087462.tif 000008
【図７】
2018087462.tif 000009
【図８】
2018087462.tif 000010
【図９】
2018087462.tif 000011
【図１０】
2018087462.tif 000012